(57)【要約】【課題】片手で前記ループの一端部を引いて、ループの輪を狭めて被装飾物品に取り付けることができる装飾品を提供すること。【解決手段】装飾品１０は、ボウ１４と、ループ１６とを備える。ループ１６は一端部１６ａ及び他端部１６ｂを備える。ループ１６の一端部１６ａ及び他端部１６ｂは、互いに重ね合わされた部分１８を有する。ループ１６はその重合部分１８において、ボウ１４の結び目２０に通されている。ボウ１４の結び目２０内を通るループ１６の一端部１６ａを移動させることによって、ループ１６の輪を狭め又は広げることができる。【選択図】図１
0003141967.tif 000002
【実用新案登録請求の範囲】
【請求項１】
ボウと、前記ボウの結び目に通された一端部及び前記ボウの結び目に固着された他端部を備えるループとを含む、装飾品。
【請求項２】
前記ループは前記一端部に両面テープを備える、請求項１に記載の装飾品。
【請求項３】
前記ボウと前記ループとはそれぞれリボン片からなる、請求項１に記載の装飾品。
【考案の詳細な説明】
【技術分野】
【０００１】
本考案は、贈答品のような物品に取り付けられ、この物品を装飾する装飾品、特に商品が詰められた包装瓶や包装箱、商品自体等への取り付ける装飾品に関する。
【背景技術】
【０００２】
従来、このような装飾品の一つとして、装飾主体であるボウ（例えばリボン片を蝶結びにしたもの）と、該ボウを例えば包装瓶に取り付けるためのループ（例えばリボン片を環状に湾曲させたもの）とからなるものが使用されている。
【０００３】
前記従来の装飾品において、前記ループは互いに重ね合わされ互いに反対方向へ伸びる両端部を有し、その重合部分において前記ボウの結び目に通されている。これによれば、前記ループを例えば包装瓶の首に掛け、前記ループの両端部の双方を引いて該ループの輪を狭めることにより、前記ボウが包装瓶に取り付けられる（例えば、特許文献１参照）。
【特許文献１】実用新案登録第３１２５６５５号
【０００４】
しかし、前記従来の装飾品を包装瓶に取り付ける場合には、包装瓶の首に掛けたループの両端部の双方を引くために、使用者は両手を使わなければならず、取付作業に手間がかかった。
【考案の開示】
【考案が解決しようとする課題】
【０００５】
本考案の目的は、片手で前記ループの一端部を引いて、ループの輪を狭めて被装飾物品に取り付けることができる装飾品を提供することにある。
【課題を解決するための手段】
【０００６】
本考案に係る装飾品は、ボウと、前記ボウの結び目に通された一端部及び前記ボウの結び目に固着された他端部を備えるループとを含む。
【０００７】
前記ループは前記一端部に両面テープを備えることができる。前記ボウと前記ループとはそれぞれリボン片から構成してもよい。
【考案の効果】
【０００８】
本考案によれば、片手で前記ループの前記一端部を引いて、前記ループの輪を狭めることができる。これにより、本考案に係る装飾品は、前記ループの輪の中に被装飾物品を入れた後、ループの輪を狭めることによって、被装飾物品に取り付けることができる。
【０００９】
前記ループは前記一端部に両面テープを備えれば、前記一端部を引いてループの輪を狭めた後、一端部を両面テープによって被装飾物品に取り付けることができる。これにより、ループの一端部が被装飾物品の周りで揺れ動くことを防ぐことができ、被装飾物品の装飾状態の見栄えを良くすることができる。
【考案を実施するための最良の形態】
【００１０】
図１及び図２を参照すると、本考案に係る装飾品が全体に符号１０で示されている。
【００１１】
装飾品１０は、図３に示すように、贈答品のような被装飾物品、例えば商品が詰められた包装容器である包装瓶１２に取り付けられ、これを装飾するために用いられる。
【００１２】
装飾品１０は、ボウ１４と、ループ１６とを備える。ボウ１４は、リボン片を蝶結びに結んでなり、またループ１６はリボン片を環状に湾曲させてなる。前記リボン片に代えてテープ片から製作することができる。
【００１３】
ボウ１４及びループ１６の形成に供される前記リボン片又はテープ片（以下「リボン片等」という。）は、例えば合成繊維製の織物からなる。ボウ１４を構成するリボン片等は、ボウ自体のその華やかさを強調するため、好ましくはループ１６を構成するリボン片等より大きい幅寸法を有する。
【００１４】
また、両リボン片等はこれらが共通の色彩を有するもの、異なる色彩を有するもの、模様を有するもの、模様を有しない無地のもの等任意に設定することができる。なお、両リボン片等は、それぞれ、合成繊維製又は天然繊維製の織物、合成樹脂製のフィルム等からなるものとすることができる。
【００１５】
ループ１６は一端部１６ａ及び他端部１６ｂを備える。ループ１６の一端部１６ａ及び他端部１６ｂは、互いに重ね合わされた部分１８を有する。ループ１６はその重合部分１８において、ボウ１４の結び目２０に通されている。換言すれば、ループの一端部１６ａ及び他端部１６ｂは、結び目２０内において、互いに重なり合い、重合部分１８をなしている。
【００１６】
一端部１６ａは、例えばその先端部付近に、両面テープからなる接着部２２を備える。また、一端部１６ａは他端部１６ｂとは反対方向へ伸び、ボウ１４の結び目２０内を移動させることができる。一端部１６ａを移動させることによって、ループ１６の輪を狭め又は広げることが可能である。
【００１７】
一方、他端部１６ｂは例えば超音波、熱源等の溶着手段又は接着剤等の接着手段によって結び目２０に固着され、ボウ１４の結び目２０内を移動させることができない。図示の例では、結び目２０と他端部１６ｂとを固着する固着部２４が結び目２０内の他端部１６ｂに設けられている。
【００１８】
なお、図示されていないが、接着部２２は、その接着部分の表面に剥離シートを備え、装飾品１０を被装飾品に取り付け時に剥離シートを剥がして一端部１６ａを接着部２２によって被装飾品に接着させることができる。これにより、ループの一端部が被装飾物品の周りで揺れ動くことを防ぐことができ、被装飾物品の装飾状態の見栄えを良くすることができる。
【００１９】
装飾品１０による包装瓶１２の装飾は、図３に示すように、ループ１６の輪を包装瓶１２の首２６又はその胴２８の上部に掛け、ループ１６の一端部１６ａを図中矢印方向に引っ張ることによってループ１６の輪を狭め、装飾瓶１２の周囲を締め付けてこれにボウ１４を取り付けることにより行う。取り付け後、一端部１６ａを接着部２２によって、包装瓶１２の胴２８に接着させる。
【００２０】
装飾品１０による包装箱２８の装飾は、図４に示すように、ループ１６の輪を包装箱２８の対角線上の各角部に掛けたループ１６の輪を狭め、包装箱２８の周囲を締め付けてこれにボウ１４を取り付けることにより行う。取り付け後、一端部１６ａを接着部２２によって、包装箱２８に接着させる。
【００２１】
なお、図示の例では、ループ１６は、ボウ１４の見栄えを損なわないように、ボウ１４の表面の反対側である背面において、その結び目２０に通されている。しかし、この例に代えて、ボウ１４の表面の側においてその結び目２０にループの重合部分１８を通すことは任意である。
【００２２】
ループ１６の重合部分１８がボウ１４の結び目２０に通された状態にすることは、ループの各端部１６ａをボウの結び目２０に通すことにより行うことも可能であるが、これに代えて、ボウ１４の形成材料である例えば前記リボン片をループ１６の重合部分に巻き付けてボウ１４を形成することによっても可能である。
【００２３】
ループ１６について、重ね合わされた部分１８を有する、一端部１６ａ及他端部１６ｂを備える例について図示し、説明したが、他のループの例として、互いに交差する部分を有する一端部及他端部を有するもの（図示せず）とすることができる。
【００２４】
この他の例では、ループの両端部がボウ１４の結び目２０に通され、該結び目２０内で互いに交差し、交差箇所で重なり合って重合部分１８を形成する。また、ループの一端部はその先端付近に接着部２２を有し、結び目２０内の他端部は結び目２０に固着されている。この例にあっても、図示の例と同様、ボウ１４に対してループの一端部を移動させて前記ループの輪を狭めることにより、被装飾品の周囲にボウ１４を取り付けることができる。
【産業上の利用可能性】
【００２５】
本考案は、上記実施例に限定されず、本考案の趣旨を逸脱しない限り、種々変更できる。
【図面の簡単な説明】
【００２６】
【図１】本考案の一例に係る装飾品のボウの背面側から見た斜視図。
【図２】装飾品のボウの正面側から見た斜視図。
【図３】包装瓶に取り付けられた装飾品の正面図。
【図４】包装箱に取り付けられた装飾品の正面図。
【符号の説明】
【００２７】
１０  装飾品
１２  包装瓶
１４  ボウ
１６  ループ
１６ａ  ループの一端部
１６ｂ  ループの他端部
１８  重合部分
２０  ボウの結び目
２２  接着部
２４  固着部
【図１】
0003141967.tif 000003
【図２】
0003141967.tif 000004
【図３】
0003141967.tif 000005
【図４】
0003141967.tif 000006